(57)【要約】【課題】外部ホースとホース取付け部の締結部からの漏水が電気部品に付着するのを防止し安全性の高い洗濯機を提供する。【解決手段】洗濯兼脱水槽（図示せず）を内包した水槽２の上部に設けた天板（図示せず）と、天板に配設した操作箱１３内に設けられ水槽２内へ給水する給水弁１６と、上部が外部ホース１４に接続され下端が給水弁１６に連通するホース取付け部１７と、外部ホース１４とホース取付け部１７との取り付け部からの漏水を受け排出する排出ガイド２２を設け、排出ガイド２２を給水弁１６の下方に配した水位検知手段２１の上方に配すると共に操作箱１３の天面とホース取付け部１７の下部との間で挟持したもので、外部ホース１４の取り付け部からの漏水が、排出ガイド２２で受け、排出されるので、その下の水位検知手段２１に水が付着したり、浸入したりする事が無く、安全性の高い洗濯機を提供できる。【選択図】図１
2006087454.tif 000002
【特許請求の範囲】
【請求項１】
洗濯兼脱水槽を回転自在に内包した水槽と、前記水槽の上部に設けた天板と、前記天板に配設した操作箱と、前記操作箱内に設け前記水槽内へ給水する給水弁と、前記給水弁の下方近傍に設けた電気部品と、洗濯、すすぎ、脱水などの一連の行程を制御する制御手段と、前記操作箱の天面に取り付けられると共に上部が外部ホースに接続され下端が前記給水弁に連通するホース取付け部と、前記外部ホースと前記ホース取付け部との取り付け部からの漏水を受け排出する排出ガイドを設け、前記排出ガイドを前記電気部品の上方に配すると共に前記操作箱の天面と前記ホース取付け部の下部との間で挟持したことを特徴とする洗濯機。
【発明の詳細な説明】
【技術分野】
【０００１】
本発明は、衣類などを洗濯する洗濯機に関するものである。
【背景技術】
【０００２】
従来、この種の洗濯機は、図３、図４に示すような構成が一般的であった。以下、その構成について説明する。
【０００３】
図に示すように、洗濯機本体１は、内部に水槽２と、この水槽２に回転自在に内包された洗濯兼脱水槽３を設けており、洗濯兼脱水槽３の内底部に撹拌翼４を回転自在に配設している。この撹拌翼４は減速機構５を介してモータ６により回転駆動される。水槽２の底部に排水口７を介して連通する排水弁８を設け、この排水弁８は、機内ホース９を介して機外ホース１０を通じ、下水孔１１に接続されている。
【０００４】
洗濯機本体１の上部には、水槽２を覆う天板１２を設け、この天板１２に操作箱１３を配設している。操作箱１３には、機外の水道蛇口から外部ホース１４を通し供給される水道水を水槽２に供給すると共に制御手段１５で制御される給水弁１６が配設されている。外部ホース１４とホース取付け部１７はネジにより締結され、このホース取付け部１７は、ネジ部１７ａとネジ部１７ａの下方に位置する平面部１７ｂから構成されている。
【０００５】
操作箱１３の天面とホース取付け部１７の平面部１７ｂの間には、漏水防止用の防水パッキン１８を配している。給水弁１６からの給水は、連通ホースＡ１９を介して注水口金２０に供給され、給水口金２０内部を通って水槽２内に給水される。また、操作箱１３内の給水弁１６の下方近傍には、水槽２内の水位を検知する水位検知手段２１等の電気部品が配設されている（例えば、特許文献１参照）。
【特許文献１】特開２００３−３１１０８７号公報
【発明の開示】
【発明が解決しようとする課題】
【０００６】
このような従来の洗濯機の構成では、外部ホース１４から供給される水が、外部ホース１４とホース取付け部１７のネジ部１７ａとの締結部のわずかなスキマから漏水した水が滴下しないよう防水パッキン１８を入れているが、防水パッキン１８の表面を伝わり滴下し、給水弁１６下方近傍に配設した水位検知手段２１に水が付着侵入しスパーク等を引き起こすという課題があった。
【０００７】
本発明は、上記従来の課題を解決するもので、外部ホースとホース取付け部との締結部から漏水した水道水が、電気部品に浸入することなく排出させることができる安全性の高い洗濯機を提供することを目的としている。
【課題を解決するための手段】
【０００８】
前記従来の課題を解決するために、本発明の洗濯機は、洗濯兼脱水槽を回転自在に内包した水槽と、前記水槽の上部に設けた天板と、前記天板に配設した操作箱と、前記操作箱内に設け前記水槽内へ給水する給水弁と、前記給水弁の下方近傍に設けた電気部品と、洗濯、すすぎ、脱水などの一連の行程を制御する制御手段と、前記操作箱の天面に取り付けられると共に上部が外部ホースに接続され下端が前記給水弁に連通するホース取付け部と、前記外部ホースと前記ホース取付け部との取り付け部からの漏水を受け排出する排出ガイドを設け、前記排出ガイドを前記電気部品の上方に配すると共に前記操作箱の天面と前記ホース取付け部の下部との間で挟持したもので、外部ホースとホース取付け部との取り付け部からの漏水が、電気部品の上方に有る排出ガイドで受け、排出されるので、電気部品に水が付着したり、浸入したりする事が無く、安全性の高い洗濯機を提供することができる。
【発明の効果】
【０００９】
本発明の洗濯機は、外部ホースとホース取付け部の締結部からの漏水を電気部品に付着することなく排出させる為、電気部品に水が浸入した時に生じるスパーク等を防止することができる。
【発明を実施するための最良の形態】
【００１０】
第１の発明は、洗濯兼脱水槽を回転自在に内包した水槽と、前記水槽の上部に設けた天板と、前記天板に配設した操作箱と、前記操作箱内に設け前記水槽内へ給水する給水弁と、前記給水弁の下方近傍に設けた電気部品と、洗濯、すすぎ、脱水などの一連の行程を制御する制御手段と、前記操作箱の天面に取り付けられると共に上部が外部ホースに接続され下端が前記給水弁に連通するホース取付け部と、前記外部ホースと前記ホース取付け部との取り付け部からの漏水を受け排出する排出ガイドを設け、前記排出ガイドを前記電気部品の上方に配すると共に前記操作箱の天面と前記ホース取付け部の下部との間で挟持したもので、外部ホースとホース取付け部との取り付け部からの漏水が、電気部品の上方に有る排出ガイドで受け、排出されるので、電気部品に水が付着したり、浸入したりする事が無く、安全性の高い洗濯機を提供することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における洗濯機の要部断面図、図２は、同洗濯機の排出ガイドの斜視図である。なお、従来例と同一部分については、同一符号を付して、その説明を省略する。
【００１３】
図１において、洗濯機本体１の上部に配設した操作箱１３内に設けられた給水弁１６は、制御手段１５で制御されると共に、水道蛇口から外部ホース１４を通して給水された水道水を制御する。給水弁１６を通った水道水は、連通ホースＡ１９を介して注水口金２０に供給され、給水口金２０内部を通って水槽２内に給水される。
【００１４】
また、外部ホース１４とホース取付け部１７はネジ部１７ａで締結されることによって水道水が取込まれ給水弁１６に給水される。２２は、漏水をガイドする排出ガイドで、ホース取付け部１７の下部に設けた平面部１７ｂに契合するように載置され、かつ操作箱１３の天面と平面部１７ｂとで挟持されるように装着される。
【００１５】
図２において、排出ガイド２２は、契合孔２２ａと、外周立壁２２ｂと、傾斜部２２ｃとからなり、外周立壁２２ｂにより、外部ホース１４とホース取付け部１７との締結部からの漏水を排出ガイド２２から外周部外に滴下させないようにしている。傾斜部２２ｃは電気部品に水が付着しない空間に水を排出させるガイドとして設けられている。
【００１６】
以上のように構成された洗濯機について、以下にその動作、作用を説明する。
【００１７】
図１に示すように、外周立壁２２ｂ、傾斜部２２ｃからなる排出ガイド２２を、操作箱１３の天面とホース取付け部１７の下部の平面部１７ｂとの間に挟持するように装着することにより、外部ホース１４とホース取付け部１７との締結部から漏水した水は、矢印のように排出ガイド２２の外周立壁２２ｂより外に滴下することなく傾斜部２２ｃをつたって流れ、水位検知手段２１等の電気部品に水が付着しない空間に排出される。このように電気部品に水が付着したり侵入することがなくなる為、水の浸入によって生じるスパークや腐食が防止できるので、安全性を高めることができる。
【産業上の利用可能性】
【００１８】
以上のように、本発明にかかる洗濯機は、外部ホースとホース取付け部の締結部での漏水が電気部品に付着するのを防止し、安全性を高めることができるもので、液体が通るホースを接続した各種機器に適用できる。
【図面の簡単な説明】
【００１９】
【図１】本発明の実施の形態１における洗濯機の要部断面図
【図２】同洗濯機の給水弁漏水排出ガイドの外観斜視図
【図３】従来の洗濯機の縦断面図
【図４】同洗濯機の要部断面図
【符号の説明】
【００２０】
２    水槽
３    洗濯兼脱水槽
１２  天板
１３  操作箱
１４  外部ホース
１５  制御手段
１６  給水弁
１７  ホース取付け部
２１  水位検知手段（電気部品）
２２  排出ガイド
【図１】
2006087454.tif 000003
【図２】
2006087454.tif 000004
【図３】
2006087454.tif 000005
【図４】
2006087454.tif 000006